(57)【要約】      （修正有）【課題】建物の管理者側でエレベータの走行条件を任意に設定変更可能とする。【解決手段】建物内の監視室に運行マネージメント装置２５を設置する。運行マネージメント装置２５に備えられた入力装置３２を通じてエレベータの走行条件を任意に設定する。この走行条件には、速度、加速度およびサービス階が含まれる。運行マネージメント装置２５は、上記設定された走行条件の適正をチェックするための機能を備えており、適正な場合のみ上記走行条件の設定変更が実施される。これにより、建物の管理者側でエレベータの走行条件を任意に設定変更することができる。【選択図】図２
2007084192.tif 000002
【特許請求の範囲】
【請求項１】
建物内の監視室に設けられるエレベータの運行マネージメント装置であって、
エレベータの走行条件を設定する設定手段と、
この設定手段によって設定された走行条件が適正であるか否かをチェックするチェック手段と、
このチェック手段によって適正であると判断された場合のみ、上記走行条件の設定変更を実施する設定変更手段と
を具備したことを特徴とするエレベータの運行マネージメント装置。
【請求項２】
上記走行条件として、エレベータの速度、加速度およびサービス階を含むことを特徴とする請求項１記載のエレベータの運行マネージメント装置。
【請求項３】
上記チェック手段は、上記走行条件として設定された速度と加速度が予め定められたエレベータシステムの定格容量内であるか否かをチェックすることを特徴とする請求項２記載のエレベータの運行マネージメント装置。
【請求項４】
上記チェック手段は、上記走行条件として設定された速度がサービス階までの直通運転に対応しているか否かをチェックすることを特徴とする請求項２記載のエレベータの運行マネージメント装置。
【請求項５】
上記チェック手段は、上記走行条件として設定された加速度がエレベータ機器の性能能力の制限範囲内にあるか否かをチェックすることを特徴とする請求項２記載のエレベータの運行マネージメント装置。
【請求項６】
上記設定手段によって設定された走行条件に基づいて、エレベータの運行シミュレーションを行うシミュレーション手段をさらに具備したことを特徴とする請求項１または２記載のエレベータの運行マネージメント装置。
【請求項７】
上記シミュレーション手段は、上記建物内に設置されたエレベータ以外の輸送手段による輸送効率も考慮して最適な走行条件をサポートすることを特徴とする請求項６記載のエレベータの運行マネージメント装置。
【発明の詳細な説明】
【技術分野】
【０００１】
本発明は、建物内に設置されたエレベータの運行管理を行うための運行マネージメント装置に関する。
【背景技術】
【０００２】
例えばマンションビルやオフィスビルなどの建物内の監視室には、エレベータ監視盤と呼ばれる監視装置が設置されており、エレベータの運転状態などを各号機毎に常時監視できるようになっている（例えば、特許文献１参照）。このエレベータ監視盤は、エレベータの運転状態を監視する目的であり、各号機毎に運転状態を表示する他には、運転モードやサービス階の切替えなどの機能しか持たないのが一般的である。
【０００３】
図６に一般的なエレベータ監視盤の一例を示す。  
エレベータ監視盤１１には、各号機のエレベータの運転状態を表示するための表示装置１２、外部と連絡するためのインターフォン１３、運転モードやサービス階の切替えスイッチ１４などが設けられている。また、図６の例では、エスカレータの運転状態を表示するための表示装置１５が設けられている。
【特許文献１】特開平１１−３２２２１５号公報
【発明の開示】
【発明が解決しようとする課題】
【０００４】
上述したエレベータ監視盤は、エレベータの運転状態を監視するためのものであり、例えばエレベータの速度や加速度などの走行条件を任意に変更することはできない。
【０００５】
一方、エレベータの速度や加速度などの走行条件は、予めエレベータの出荷前に顧客の要求に応じて設定されている。しかしながら、エレベータの利用状況は常に一定とは限らず、例えば時簡帯や曜日などでも異なり、さらに、イベントの開催日などの特別な日には多数の人が利用することになる。このような場合、その都度、エレベータの製造会社や保守会社に連絡して、エレベータの走行条件を変更依頼することは、管理者側では非常に不具合なことであるし、実際には走行速度を変えることはできない。
【０００６】
本発明は上記のような点に鑑みなされたもので、建物の管理者側でエレベータの走行条件を任意に設定変更することができるエレベータの運行マネージメント装置を提供することを目的とする。
【課題を解決するための手段】
【０００７】
本発明のエレベータの運行マネージメント装置は、建物内の監視室に設けられるエレベータの運行マネージメント装置であって、エレベータの走行条件を設定する設定手段と、この設定手段によって設定された走行条件が適正であるか否かをチェックするチェック手段と、このチェック手段によって適正であると判断された場合のみ、上記走行条件の設定変更を実施する設定変更手段とを具備して構成される。
【０００８】
このような構成によれば、建物内の監視室に設置された運行マネージメント装置を通じて管理者側でエレベータの走行条件を任意に設定変更することができる。この場合、不適切な設定変更はチェック手段によって禁止されるため、誤った設定変更を行うことはない。
【発明の効果】
【０００９】
本発明によれば、建物内の監視室に設置された運行マネージメント装置を通じて管理者側でエレベータの走行条件を任意に設定変更することができる。走行条件としては、例えばエレベータの速度、加速度およびサービス階である。これらを建物内の交通状況に合わせて適宜設定することで、効率的な運転サービスを実現できる。
【発明を実施するための最良の形態】
【００１０】
以下、図面を参照して本発明の実施形態を説明する。
【００１１】
図１は本発明の一実施形態に係るエレベータの運行マネージメント装置が適用される建物の一例を示す図である。
【００１２】
この建物２１は、例えば大型マンションビルや事務所ビル、ショッピングセンタービルなどであり、エレベータ２２やエスカレータ２３の輸送設備が構築されている。この建物２１内の監視室２４に、エレベータ監視盤１１と並列または一体化して運行マネージメント装置２５が設置される。なお、監視室２４は、エレベータ機械室以外の場所にあり、建物２１の管理者を含む関係者のみが出入りできる。
【００１３】
エレベータ監視盤１１は、エレベータの運転状態を監視するためのものである。図６に示したように、このエレベータ監視盤１１には、建物２１内に設置されたエレベータ２２の運転状態を表示するための表示装置１２の他、インターフォン１３、切替えスイッチ１４などが設けられている。さらに、エレベータ２２以外の輸送手段であるエスカレータ２３の運転状態を表示するための表示装置１５が設けられている。
【００１４】
これに対し、運行マネージメント装置２５は、建物２１内に設置されたエレベータ２２の運行管理を行うためものである。通常、エレベータ納品前の設計段階でエレベータ２２の速度、加速度などの走行条件が予め設定されている。運行マネージメント装置２５は、このような走行条件を管理者側で任意に設定変更可能な機能を有する。
【００１５】
以下に、運行マネージメント装置２５の構成について説明する。  
図２は運行マネージメント装置２５の外観構成の一例示す図、図３は運行マネージメント装置２５の回路構成を示すブロック図である。
【００１６】
図２および図３に示すように、運行マネージメント装置２５には、表示装置３１、入力装置３２、制御装置３３、記憶装置３４、伝送装置３５が設けられている。
【００１７】
表示装置３１は、ＬＣＤ（Liquid Crystal Display）などからなる。この表示装置３１は、エレベータ２２の各号機毎の運行状況やサービス階と共に、エレベータ２２の速度、加速度、さらに、各種計算結果、運行シミュレーション結果などを表示するための機能を備える。
【００１８】
入力装置３２は、キーボードなどの各種操作ボタンからなる。この入力装置３２は、エレベータ２２の加速度、速度、サービス階等の走行条件の設定、さらに、建物２１内に設置されたエスカレータ２３の速度、運転方向を号機毎に設定入力するための機能を備える。
【００１９】
制御装置３３は、マイクロコンピュータ（ＣＰＵ）からなり、記憶装置３４に記憶されたプログラムを読み込むことで各種処理を実行する。この制御装置３３は、エレベータ２２の速度、加速度、サービス階の設定変更に伴う計算、およびそれに付随した運行シミュレーションを行う機能を備える。
【００２０】
記憶装置３４は、ＲＯＭ、ＲＡＭなどからなる。この記憶装置３４には、制御装置３３を起動するための制御プログラムの他、シミュレーション機能を実現するためのプログラム（シミュレーションシステム）などが搭載されている。
【００２１】
伝送装置３５は、設定変更された情報をエレベータ制御装置４１やエスカレータ制御装置４２に伝送する機能を備える。なお、エレベータ制御装置４１はエレベータ２２の運転制御を行うものであり、エスカレータ制御装置４２はエスカレータ２３の運転制御を行うものである。これらは、図示せぬエレベータ機械室、エスカレータ機械室に設置されている。
【００２２】
また、この運行マネージメント装置２５には、エレベータ２２、エスカレータ２３および建物２１内の他の設備（例えば監視カメラ等）の情報を取得するためのインターフェース３６を備える。
【００２３】
このような構成において、運行マネージメント装置２５は、エレベータ２２の走行条件の設定変更に伴う演算機能、エレベータ制御装置４１への伝送機能、エレベータ２２の運行を最適化するためのシミュレーション機能を持つ。
【００２４】
ここで、エレベータ２２の走行条件とは、速度、加速度およびサービス階であり、管理者側で任意に設定変更できる。ただし、エレベータ設計時に選定された巻上機の定格容量、制御装置の定格容量、安全装置の定格容量、さらに、建物側の設備容量などとエレベータシステムの定格容量が相関しているので、そこから速度と加速度の制限範囲を設定し、エレベータシステムの定格容量を超えないことを設定変更の条件とする。
【００２５】
エレベータシステムの定格容量は、次式で表される。  
Ｐ＝（Ｍ（１−ＯＢ）＊Ｖ）／（６１２０＊η）
Ｐ  ：エレベータシステムの定格容量（ＫＷ）
Ｍ  ：積載（ｋｇ）
ＯＢ：オーバーバランス
Ｖ  ：エレベータ定格速度（ｍ／ｍｉｎ）
η  ：エレベータシステムの効率
６１２０:ディメンジョンを合わせるための定数(単位系を合わせるための定数)。
【００２６】
また、加速度については、巻上機、制御装置、安全装置等の機器の性能能力範囲内で初期に制限を設けておく。例えば、上述した各装置の性能から０．３〜１．２ｍ／ｓ２の範囲をデフォルト値として設定する。
【００２７】
また、サービス階の設定によっては、直通運転時（サービス階の両端階走行時）の走行距離と速度、加速度の関係から所要の速度をあげることができない場合もある。それらの条件を総合評価し、速度、加速度の条件とサービス階を設定できるものとする（図４参照）。
【００２８】
また、この運行マネージメント装置２５は、エレベータ２２の運行サービスを最適化するためのシミュレーション機能を備えており、その結果を参考にして管理者側で走行条件を設定できる。シミュレーションにより最適化する評価項目としては、輸送効率（時間と輸送量）となるが、その他に省エネルギという観点から消費電力最小といった項目などを付加することでも良い。
【００２９】
さらに、運行シミュレーションおよびその最適化については、走行時間からエレベータ２２とその他の輸送手段であるエスカレータ２３の輸送効率を建物全体で算出し、それに必要な最適な走行条件（例えば速度０つまり停止条件も含む）をサポートする機能を備える（図５参照）。
【００３０】
例えば、建物の１Ｆから特設ホールのある３２Ｆまでは、１４：００〜１７：００の間、往復運転するのに最適な走行条件を設定し、２Ｆから３１Ｆまでは、会社関係用に通常より可能な限り輸送効率を下げない走行条件を設定するなどである。このようなシミュレーション機能は、ソフトウェアにより管理側の想定ケースを予めカスタマイズして運行マネージメント装置２５内に組み込んでおくものとする。
【００３１】
次に、図４および図５を参照して、運行マネージメント装置２５による設定変更とシミュレーションの処理について説明する。
【００３２】
図４は運行マネージメント装置２５による設定変更処理の動作を示すフローチャートである。
【００３３】
建物２１の監視室２４内にて、管理者が運行マネージメント装置２５の入力装置３２をキー操作することにより、設定変更の対象となるエレベータ２２の走行条件を入力する（ステップＡ１１）。この場合、各号機毎の設定が可能であり、速度、加速度およびサービス階を走行条件として入力するものとする。このときの入力情報は、図２に示すように、表示装置３１の画面上に表示されて確認することができる。
【００３４】
ここで、運行マネージメント装置２５に備えられた制御装置３３は、入力装置３２のキー操作により入力設定された走行条件が適正であるか否かをチェックする（ステップＡ１２〜Ａ１４）。
【００３５】
すなわち、まず、制御装置３３は、上記入力設定された走行条件に含まれる速度と加速度が上述したエレベータシステムの定格容量内にあるか否かをチェックする（ステップＡ１２）。例えば速度が定格速度をオーバしているなど、エレベータシステムの定格容量を超える場合には（ステップＡ１２のＮｏ）、制御装置３３は設定変更を不可とする（ステップＡ１８）。
【００３６】
また、制御装置３３は、上記入力設定された速度がサービス階までの直通運転に対応しているか否かをチェックする（ステップＡ１３）。直通運転時に対応していなければ（ステップＡ１３のＮｏ）、制御装置３３は設定変更を不可とする（ステップＡ１８）。
【００３７】
また、制御装置３３は、上記入力設定された走行条件に含まれる加速度がエレベータ機器の性能能力の制限範囲内にあるか否かをチェックする（ステップＡ１４）。加速度が制限範囲を超える場合には（ステップＡ１４のＮｏ）、制御装置３３は設定変更を不可とする（ステップＡ１８）。
【００３８】
このように、管理者によって任意に設定された走行条件が不適切な場合には設定変更が禁止される。したがって、誤った設定変更によりエレベータ２２の運行が乱れるなどの異常事態を回避することができる。なお、上記ステップＡ１８で設定変更を不可とした場合に、例えばエラーメッセージを表示装置３１に表示するなどして、不適切な点を明示するようにしても良い。
【００３９】
一方、上記入力設定された走行条件が適正であった場合には（ステップＡ１４のＹｅｓ）、制御装置３３は、その走行条件に基づいてエレベータ２２の走行時間を算出して、図２の例のように表示装置３１の画面上に表示する（ステップＡ１５）。管理者は、この設定内容で良ければ、所定の操作により確定指示を入力する（ステップＡ１６のＹｅｓ）。これにより、制御装置３３では、伝送装置３５を通じて上記入力設定された走行条件をエレベータ制御装置４１に送信することで、設定変更を実施する（ステップＡ１７）。以後、エレベータ制御装置４１により変更後の走行条件に従ってエレベータ２２の運転が制御されることになる。
【００４０】
図５は運行マネージメント装置２５によるシミュレーション処理の動作を示すフローチャートである。
【００４１】
建物２１の監視室２４内にて、管理者が運行マネージメント装置２５の入力装置３２をキー操作することにより、エレベータ２２の各号機毎に速度、加速度、サービス階といった走行条件を入力する（ステップＢ１１）。また、建物２１内の他の輸送手段であるエスカレータ２３についても、そのエスカレータ２３の各号機毎に速度と運転方向を入力する（ステップＢ１２）。
【００４２】
ここで、シミュレーションにより最適化する評価項目を入力する（ステップＢ１３）。上述したように、評価項目としては、輸送効率（時間と輸送量）と消費電力といった項目が挙げられ、このうちのどちらか一方、あるいは、両方の項目を入力する。
【００４３】
このようにして、シミュレーションに必要な情報が入力されると、制御装置３３は、これらの情報に基づいてシミュレーション処理を実行し（ステップＢ１４）、その結果を出力する（ステップＢ１５）。
【００４４】
この場合、エレベータ２２だけでなく、エスカレータ２３を含む建物全体の輸送効率や消費電力を算出して、それをシミュレーション結果として出力する。また、輸送効率や消費電力を最適化する場合には、当該建物２１内での交通状況などを考慮して最適な輸送効率や消費電力を導き出し、それに必要な走行条件を各号機毎に出力する。なお、シミュレーション結果の出力形態としては、表示装置３１に表示する他に、例えば図示せぬ印刷装置が接続されていれば、用紙に印刷して出力することでも良い。管理者は、このシミュレーション結果を参考にして走行条件を設定することができる。
【００４５】
このように、運行マネージメント装置２５を用いれば、管理者側でエレベータ２２の走行条件を任意に設定変更して、その時々の建物２１内の交通状況に応じた効率的な運行サービスを実現できる。また、シミュレーション機能を利用すれば、輸送効率を優先とする場合の走行条件や、消費電力を優先とする場合の走行条件を簡単に設定することができる。
【００４６】
なお、上記実施形態では、エレベータ２２以外の輸送手段としてエスカレータ２３を想定したが、その他の輸送手段が建物２１内に存在する場合でも同様であり、その輸送手段を考慮したシミュレーションを行うものとする。
【００４７】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００４８】
【図１】図１は本発明の一実施形態に係るエレベータの運行マネージメント装置が適用される建物の一例を示す図である。
【図２】図２は同実施形態における運行マネージメント装置の外観構成の一例を示す図である。
【図３】図３は同実施形態における運行マネージメント装置の回路構成を示すブロック図である。
【図４】図４は同実施形態における運行マネージメント装置による設定変更処理の動作を示すフローチャートである。
【図５】図５は同実施形態における運行マネージメント装置２５によるシミュレーション処理の動作を示すフローチャートである。
【図６】図６は一般的なエレベータ監視盤の一例を示す図である。
【符号の説明】
【００４９】
１１…エレベータ監視盤、１２…表示装置、１３…インターフォン、１４…切替えスイッチ、１５…表示装置、２１…建物、２２…エレベータ、２３…エスカレータ、２４…監視室、２５…運行マネージメント装置、３１…表示装置、３２…入力装置、３３…制御装置、３４…記憶装置、３５…伝送装置、３６…インターフェース。
【図１】
2007084192.tif 000003
【図２】
2007084192.tif 000004
【図３】
2007084192.tif 000005
【図４】
2007084192.tif 000006
【図５】
2007084192.tif 000007
【図６】
2007084192.tif 000008